(57)【要約】【課題】裏面保護シートの開口部を通るリード線と裏面保護シートの開口部端面との間の絶縁耐圧を十分に確保する。【解決手段】透光性絶縁基板５１上に、透明電極膜、光電変換層、裏面電極膜からなる太陽電池セル５５が積層され、この太陽電池セル５５の裏面電極膜上に、絶縁状態のリード線６２，６３と、このリード線６２，６３の出力リード部６２ａ，６３ａを導出するための開口部６５ａを有するバックフィルム６５とが順次積層された太陽電池モジュールにおいて、バックフィルム６５の開口部６５ａの一つの縁部６５ａ１上に、その先端側が前記開口部６５ａ内を通過する出力リード部６２ａ，６３ａに向かって開口部内にはみ出した状態で絶縁シート１０が配置された構成としている。【選択図】図６
2010283231.tif 000002
【特許請求の範囲】
【請求項１】
太陽電池セルの裏面電極膜上に、リード線と、このリード線を導出するための開口部を有する裏面保護シートとが順次積層された太陽電池モジュールにおいて、
前記裏面保護シートの前記開口部の縁部上に絶縁シートが配置され、前記絶縁シートは、その先端側が前記開口部内を通過する前記リード線に向かって開口部内にはみ出した状態で配置されていることを特徴とする太陽電池モジュール。
【請求項２】
請求項１に記載の太陽電池モジュールにおいて、
前記絶縁シートの先端部は、前記リード線に向かって一定長さだけはみ出しており、
前記リード線は、前記絶縁シートの先端部の位置で前記裏面保護シート面に対して縦方向に屈曲されていることを特徴とする太陽電池モジュール。
【請求項３】
請求項１に記載の太陽電池モジュールにおいて、
前記絶縁シートの先端部は、前記リード線に向かって一定長さだけはみ出しており、
前記リード線は、前記裏面保護シートの前記開口部内で前記絶縁シートに向かって横方向に屈曲され、前記絶縁シートの先端部の位置で縦方向に屈曲されていることを特徴とする太陽電池モジュール。
【請求項４】
請求項２または請求項３に記載の太陽電池モジュールにおいて、
前記リード線は、前記裏面保護シートより上の部分で縦方向に屈曲されていることを特徴とする太陽電池モジュール。
【請求項５】
請求項２から請求項４までのいずれか１項に記載の太陽電池モジュールにおいて、
前記一定長さが、前記リード線と前記裏面保護シートの開口部端面との間の放電を防止できる長さに設定されていることを特徴とする太陽電池モジュール。
【請求項６】
請求項１から請求項５までのいずれか１項に記載の太陽電池モジュールにおいて、
前記裏面電極膜と前記裏面保護シートの開口部の縁部全周との間に別の絶縁シートが配置されていることを特徴とする太陽電池モジュール。
【請求項７】
太陽電池セルの裏面電極膜上に、リード線と、このリード線を導出するための開口部を有する裏面保護シートとを順次積層する太陽電池モジュールの製造方法において、
裏面電極膜上にリード線と裏面保護シートとを積層する工程と、
前記裏面保護シートの開口部の縁部上に、その先端部を前記リード線に向かって一定長さ分延設した状態で絶縁シートを配置する工程と、
前記裏面保護シートの前記開口部から導出したリード線の出力リード部を前記絶縁シート上に重なるように横方向に折り曲げる工程と、
前記出力リード部を折り曲げた状態でラミネート封止する工程と、
ラミネート封止後に前記出力リード部を前記絶縁シートの先端部の位置で縦方向に折り曲げる工程と、を含むことを特徴とする太陽電池モジュールの製造方法。
【発明の詳細な説明】
【技術分野】
【０００１】
本発明は、透光性絶縁基板上に太陽電池セルが積層され、この太陽電池セルの裏面電極膜上に、絶縁状態のリード線と、このリード線の出力リード部を導出するための開口部を有する裏面保護シートとが順次積層された構造の太陽電池モジュール及びその製造方法に係り、より詳細には、リード線と裏面保護シートの開口部端面との間の絶縁耐圧構造、及び太陽電池セルの裏面電極膜と裏面保護シートとの間の絶縁耐圧構造に関する。
【背景技術】
【０００２】
建物の屋根等に複数枚の太陽電池ストリングをマトリックス状に配置した太陽電池モジュールを敷設して太陽光発電を行う太陽光発電システムが広く一般に普及しはじめている。このような太陽電池発電システムにおいて、各太陽電池モジュールには、隣接して敷設された他の太陽電池モジュールと互いに電気的に接続可能とするための端子ボックスが備えられている。
【０００３】
従来の太陽電池モジュールを構成する太陽電池ストリングの一構成例を図２７Ａ，図２７Ｂ及び図２８に示す。ただし、図２７Ａ，図２７Ｂは製造工程の２つの場面を示す説明図、図２８は太陽電池ストリングをラミネート封止する工程を示す説明図である。なお、この図２７Ａ，図２７Ｂ及び図２８に示す太陽電池ストリングの構成例は特許文献１にも記載されている。
【０００４】
太陽電池セル１１５は、透光性絶縁基板１１１上に、図示は省略しているが透明導電膜からなる透明電極膜、光電変換層、裏面電極膜がこの順に積層されて形成されている。
【０００５】
このように構成された太陽電池セル１１５は、図２７Ａに示すように細長い短冊状で、透光性絶縁基板１１１のほぼ全幅にわたる長さを有しており、隣接する太陽電池セル１１５，１１５同士において一方の透明電極膜と他方の裏面電極膜とが互いに接続されることで複数の太陽電池セル１１５が直列に接続された太陽電池ストリング１１６が構成されている。
【０００６】
この太陽電池ストリング１１６における一端部の太陽電池セル１１５の透明電極膜の端部上に、太陽電池セル１１５とほぼ同一長さの線状のＰ型電極端子部１１７が形成され、他端部の太陽電池セル１１５の裏面電極膜の端部上に、太陽電池セル１１５とほぼ同一長さの線状のＮ型電極端子部１１８が形成されている。これらＰ型電極端子部１１７及びＮ型電極端子部１１８が電極取り出し部になる。
【０００７】
このＰ型電極端子部１１７の中央部とＮ型電極端子部１１８の中央部との間をわたすようにして、太陽電池ストリング１１６の上に絶縁シート１１９が敷設されている。この絶縁シート１１９は、Ｐ型電極端子部１１７及びＮ型電極端子部１１８には重ならないように敷設されている。絶縁シート１１９としては、封止材と相性の良いフィルムが好ましく、なかでもＰＥＴフィルムやフッ素樹脂フィルムなどが最適である。また、絶縁シートの接着性を確保するために、絶縁シート１１９と太陽電池セル１１５の間や、絶縁シート１１９とリード線１１２もしくは１１３との間に接着用の樹脂シートを敷設しても良いし、接着剤などであらかじめ接着しておいても良い。
【０００８】
一方、Ｐ型電極端子部１１７と同形・同大の銅箔からなるバスバーと呼ばれる正極集電部１２０が、Ｐ型電極端子部１１７の全面に対して電気的かつ機械的に接合されている。同様に、Ｎ型電極端子部１１８と同形・同大の負極集電部１２１が、Ｎ型電極端子部１１８の全面に対して電気的かつ機械的に接合されている。これらの接合手段としては、半田付けまたは導電性ペーストなどを用いることができる。
【０００９】
絶縁シート１１９の上には、フラットケーブルからなる正極リード線１２２と負極リード線１２３とが、互いの先端部を対向させた状態で一直線状に（若しくは幅方向にずらせた平行状態に）配置されている。
【００１０】
正極リード線１２２の一端部は、正極集電部１２０の中央位置に接続されている。また、正極リード線１２２の他端部は、太陽電池ストリング１１６のほぼ中央部に位置し、かつ太陽電池ストリング１１６の面から立ち上げるように（例えば、面に対して垂直方向に）折り曲げられて出力リード部１２２ａとなっている。同様に、負極リード線１２３の一端部は、負極集電部１２１の中央位置に接続されている。また、負極リード線１２３の他端部は、太陽電池ストリング１１６のほぼ中央部に位置し、かつ太陽電池ストリング１１６の面から立ち上げるように（例えば、面に対して垂直方向に）折り曲げられて出力リード部１２３ａとなっている。
【００１１】
正極リード線１２２及び負極リード線１２３は、複数の太陽電池セル１１５上にまたがっているが、太陽電池セル１１５との間に絶縁シート１１９が介在されているので、これら複数の太陽電池セル１１５をショートすることはない。絶縁シート１１９の幅は、正極リード線１２２及び負極リード線１２３の幅よりも充分に広いことが望ましく、正極集電部１２０から負極集電部１２１まで１枚の帯状シートの形で配置されている。
【００１２】
この状態において、図２８に示すように、正極リード線１２２及び負極リード線１２３の各出力リード部１２２ａ，１２３ａを開口部１２４ａ，１２４ａ及び開口部１２５ａ，１２５ａからそれぞれ導出する状態で、封止フィルム１２４と耐候性・高絶縁性のための裏面保護材としてのバックフィルム１２５とが、太陽電池ストリング１１６の全面にラミネート封止されている。封止フィルム１２４としては、熱可塑性の高分子フィルムが好ましく、なかでもＥＶＡ（エチレンビニルアセテート樹脂）製やＰＶＢ（ポリビニルブチラール樹脂）製のものなどが最適である。また、バックフィルム１２５としては、防湿性確保のためにＰＥＴ／Ａｌ／ＰＥＴ（ＰＥＴ：ポリエチレンテレフタレート）の３層構造やＰＶＦ／Ａｌ／ＰＶＦ（ＰＶＦ：ポリフッ化ビニル樹脂フィルム）の３層構造などの防湿層を含むものが好ましい。
【００１３】
このように構成された太陽電池ストリング１１６において、バックフィルム１２５の各開口部１２５ａ，１２５ａからそれぞれ上方に向けて突出している正極リード線１２２及び負極リード線１２３の各出力リード部１２２ａ，１２３ａに、図示しない端子ボックスを取り付けて電気的に接続している。
【００１４】
ところで、上記構成の太陽電池モジュールでは、正極リード線１２２及び負極リード線１２３を耐熱性の高い絶縁フィルムで全体を被覆している。すなわち、正極リード線１２２は、正極集電部１２０に接続する一端部と、端子ボックスの端子台に接続する他端部とを除いて全体が絶縁フィルムで被覆されており、負極リード線１２３は、負極集電部１２１に接続する一端部と、端子ボックスの端子台に接続する他端部とを除いて全体が絶縁フィルムで被覆されている。このように絶縁フィルムで全体を被覆することで、太陽電池ストリング１１６の上に正極リード線１２２及び負極リード線１２３を配置するとき、絶縁シート１１９を敷設することなく、正極リード線１２２及び負極リード線１２３を太陽電池ストリング１１６の上に直接配置することが可能となり、絶縁シート１１９を省略することによる部材コストの低減や、工数の削減、配置の容易性（すなわち、多少ずれてもショートする心配がないため）による製造効率の向上などが可能となる。
【００１５】
しかし、正極リード線１２２及び負極リード線１２３の全体を耐熱性の高い絶縁フィルムで被覆した場合、出力リード部１２２ａ，１２３ａを例えば垂直に立ち上げるためにその根元部分を折り曲げるとき、被覆している絶縁フィルムによるコシや跳ね返りが強くなるため、垂直に折り曲げたつもりでも、斜めに倒れてしまうといった問題があった。そのため、封止絶縁フィルム１２４とバックフィルム１２５とを太陽電池ストリング１１６の全面にラミネート封止するとき、出力リード部１２２ａ，１２３ａと封止絶縁フィルム１２４の開口部１２４ａ，１２４ａ及びバックフィルム１２５の開口部１２５ａ，１２５ａとの位置合わせが難しく、ラミネート工程に時間がかかるといった問題があった。
【００１６】
そのため、従来の太陽電池モジュールでは、折り曲げ部を含む先端部側の各リード線１２２，１２３（すなわち、各出力リード部１２２ａ，１２３ａ）を片面被覆としている。これにより、出力リード部１２２ａ，１２３ａを例えば垂直方向に立ち上げるためにその根元部分を折り曲げるとき、この部分にはリード線の片面のみに絶縁フィルムを設けることで、絶縁フィルムによるコシや跳ね返りを弱くし、これによって、出力リード部を容易に垂直方向に折り曲げることが可能となる。そのため、バックフィルムを太陽電池ストリングの全面にラミネート封止するとき、出力リード部とバックフィルムの開口部との位置合わせが容易となり、ラミネート工程の時間を短縮することが可能となる。
【００１７】
ところで、上記３層構造のバックフィルム１２５に開口部１２５ａを打ち抜き加工等で形成すると、開口部１２５ａ端面にＡｌ層が露出することになる。そのため、バックフィルム１２５の各開口部１２５ａ，１２５ａと各出力リード部１２２ａ，１２３ａとが接触する可能性がある。すなわち、開口部１２５ａ，１２５ａと出力リード部１２２ａ，１２３ａとの間には、それらを相対的な位置関係で固定するものが無いため、出力リード部１２２ａ，１２３ａの折り曲げ角度によっては、出力リード部１２２ａ，１２３ａがバックフィルム１２５の開口部１２５ａ，１２５ａと接触する可能性がある。そして、出力リード部１２２ａ，１２３ａがバックフィルム１２５の開口部１２５ａ，１２５ａに接触すると、出力リード部１２２ａ，１２３ａが開口部１２５ａのＡｌ層の端面と接触して、両極のリード線１２２，１２３が短絡する可能性がある。そのため、このような出力リード部１２２ａ，１２３ａと開口部１２５ａ端面との間の接触を防止する工夫がされた薄膜太陽電池モジュールも提案されている（例えば、特許文献２参照。）
特許文献２の薄膜太陽電池モジュールは、その図５（Ｄ）、図６（Ｅ）、図７（ａ）に示されているように、充填材のシート９の上に裏面保護カバー１３の開口部１４より少し大きめで切り込み（スリット）のあるＴｅｄｌｅｒシート小片１１を半田メッキ銅箔５，５′（上記構成の出力リード部１２２ａ，１２３ａ）の周りにセットし、さらにほぼ同じサイズのＥＶＡシート小片１２をセットしてから、裏面保護カバー１３をその上からセットする構造となっている。そして、裏面保護カバー１３の開口部１４から半田メッキ銅箔５，５′を出すとともに耐熱性テープで銅箔と裏面保護カバーが接触しない位置に仮固定することにより、真空ラミネート工程でずれることなく、ショートしないようにすることが記載されている。
【００１８】
また、バックフィルム１２５のＡｌ層の端面と出力リード部１２２ａ，１２３ａとの間の絶縁耐圧とは別の問題として、開口部１２５ａの露出したＡｌ層の端面と太陽電池セル１１５の裏面電極膜との距離が近くなり、絶縁耐圧試験を行った場合に放電してしまう可能性がある。特に、最近の太陽電池モジュールは高電圧化されており、絶縁耐圧として高い電圧が要求されるため、上記構造のままでは放電による事故が発生する可能性が高い。
【先行技術文献】
【特許文献】
【００１９】
【特許文献１】特開平９−３２６４９７号公報
【特許文献２】特開２００１−７７３８５号公報
【発明の概要】
【発明が解決しようとする課題】
【００２０】
上記したように、バックフィルムの開口部端面に露出したＡｌ層の端面と出力リード部との接触を防止する構造については、引用文献２にも一例が開示されている。
【００２１】
しかし、引用文献２記載のものは、半田メッキ銅箔（出力リード部に相当）５，５′をＴｅｄｌｅｒシート小片１１のスリットに通して密着させることにより、半田メッキ銅箔５，５′の動きをこのＴｅｄｌｅｒシート小片１１で制限するものであり、これにより、その上に裏面保護シート１３を配置するときに、裏面保護シート１３の開口部１４と半田メッキ銅箔５，５′との位置関係がずれないように（すなわち、開口部１４端面と半田メッキ銅箔５，５′とが接触しないように）するものであるが、開口部１４端面と半田メッキ銅箔５，５′との間の距離を所望の距離（放電の発生しない距離）に保つことまで保証するものではない。
【００２２】
すなわち、裏面保護シート１３を配置するときに、半田メッキ銅箔５，５′が動かないので、位置合わせが容易であることは確かであるが、絶対にずれないという保証はない。そのため、裏面保護シート１３の開口部１４と半田メッキ銅箔５，５′との位置が若干ずれた場合には、開口部１４端面と半田メッキ銅箔５，５′との間の距離が近くなり、絶縁耐圧試験を行ったときに放電が発生する可能性があるといった問題があった。また、ラミネート工程では、半田メッキ銅箔５，５′を一旦水平方向に折り曲げてラミネートを行い、その後、垂直方向に立ち上げて端子ボックスとの接続を行うのであるが、この垂直方向に立ち上げるときに、半田メッキ銅箔５，５′が裏面保護シート１３の開口部１４に充填された封止材に接着し易いため、真っ直ぐに立ち上がらない場合がある。そのため、この場合には、立ち上げた半田メッキ銅箔５，５′が裏面保護シート１３の開口部１４端面にさらに接近することになり、放電リスクがさらに高まることになるといった問題もあった。
【００２３】
さらに、引用文献２記載のものでは、絶縁耐圧試験を行ったときに、開口部１４の露出したＡｌ層の端面と太陽電池セルの裏面電極膜との間で放電が起こる可能性があることについては何ら考慮されておらず、解決の示唆もされていない。上記したように、最近の太陽電池モジュールは高電圧化されており、絶縁耐圧として高い電圧が要求される。
【００２４】
本発明はかかる問題点を解決すべく創案されたもので、第１の目的は、裏面保護シートの開口部端面とリード線との間の絶縁耐圧を十分に確保することのできる太陽電池モジュール及びその製造方法を提供することにある。また、第２の目的は、太陽電池セルの裏面電極膜と裏面保護シートの開口部端面との間の絶縁耐圧を十分に確保することのできる太陽電池モジュールを提供することにある。
【課題を解決するための手段】
【００２５】
上記課題を解決するため、本発明の太陽電池モジュールは、太陽電池セルの裏面電極膜上に、リード線と、このリード線を導出するための開口部を有する裏面保護シートとが順次積層された太陽電池モジュールにおいて、前記裏面保護シートの前記開口部の縁部上に絶縁シートが配置され、前記絶縁シートは、その先端側が前記開口部内を通過する前記リード線に向かって開口部内にはみ出した状態で配置されていることを特徴としている。より具体的には、前記絶縁シートの先端部が、前記リード線に向かって一定長さだけはみ出しており、前記リード線は、前記裏面保護シートの前記開口部内で前記絶縁シートに向かって横方向に屈曲され、前記絶縁シートの先端部の位置で縦方向に屈曲された構成としている。なお、前記リード線は、前記裏面保護シートより上の部分で縦方向に屈曲されている。
【００２６】
また、本発明の太陽電池モジュールの製造方法は、太陽電池セルの裏面電極膜上に、リード線と、このリード線を導出するための開口部を有する裏面保護シートとを順次積層する太陽電池モジュールの製造方法において、裏面電極膜上にリード線と裏面保護シートとを積層する工程と、前記裏面保護シートの開口部の縁部上に、その先端部を前記リード線に向かって一定長さだけ開口部内にはみ出した状態で絶縁シートを配置する工程と、前記裏面保護シートの前記開口部から導出したリード線の出力リード部を前記絶縁シート上に重なるように横方向に折り曲げる工程と、前記出力リード部を折り曲げた状態でラミネート封止する工程と、ラミネート封止後に前記出力リード部を前記絶縁シートの先端部の位置で縦方向に折り曲げる工程と、を含むことを特徴としている。
【００２７】
本発明によれば、開口部から導出したリード線を、開口部の縁部上に配置した絶縁シート上に折り曲げてラミネート封止工程を実施し、その後リード線を立ち上げるとき、リード線と開口部に充填された封止材との間に絶縁シートが介在しているので、リード線が封止材に接着せず、リード線を容易に立ち上げることができる。すなわち、リード線を、絶縁シートの先端部の位置で縦方向に容易に折り曲げることができる。従って、絶縁シートの先端部を、リード線に向かって開口部の縁部から一定長さだけ開口部内にはみ出させておけば、リード線の縦方向への折り曲げ部分と開口部の縁部（開口部端面）との間の距離をこの一定長さの距離に保つことができる。従って、本発明では、この一定長さを、リード線と裏面保護シートの開口部端面との間の絶縁耐圧試験による放電を防止できる長さに設定している。
【００２８】
すなわち、開口部の縁部上に配置される絶縁シートは、（１）リード線を立ち上げるときのリード線の封止材からの剥離を容易とする。（２）リード線を絶縁シートの先端部の位置で確実に立ち上げることを可能とする。といった２つの目的を達成することで、立ち上げたリード線と開口部端面との間の距離を、絶縁耐圧試験による放電が発生しない一定の距離に常に保つことができるものである。
【００２９】
上記したように、裏面保護シートが、ＰＥＴ／Ａｌ／ＰＥＴの３層構造やＰＶＦ／Ａｌ／ＰＶＦの３層構造などの防湿層を含むものである場合、開口部の端面には、Ａｌ層の端面が露出することになる。そのため、このＡｌ層の端面とリード線との間で放電が起こる可能性があるが、本発明では、絶縁シートの先端部を、リード線に向かって開口部の縁部から、絶縁耐圧試験による放電を防止できる一定長さだけはみ出させて配置しているので、放電を阻止することができる。
【００３０】
また、本発明の太陽電池モジュールは、前記裏面電極膜と前記裏面保護シートの開口部の縁部全周との間に別の絶縁シートが配置された構成としている。
【００３１】
すなわち、開口部の端面にＡｌ層の端面が露出する場合、このＡｌ層の端面と太陽電池モジュールの裏面電極膜との間でも放電が起こる可能性があるが、本発明では、この裏面電極膜と裏面保護シートとの間に、前記裏面保護シート開口部の縁部全周を覆うように別の絶縁シートを配置しているので、放電は阻止されることになる。
【００３２】
従って、本発明の太陽電池モジュールによれば、高電圧化の太陽電池モジュールに対応した高い電圧での絶縁耐圧試験を行っても、放電することなく十分な絶縁耐圧を確保することができるものである。
【発明の効果】
【００３３】
本発明は上記のように構成したので、裏面保護シートの開口部端面と、その開口部を通るリード線との間の放電を確実に防止することができる。これにより、高い電圧での絶縁耐圧試験を行っても、放電することなく十分な絶縁耐圧を得ることができるため、太陽電池モジュールの高電圧化が可能となる。
【図面の簡単な説明】
【００３４】
【図１Ａ】本実施形態に係る太陽電池ストリングの構成例１を示しており、製造工程の１つの場面を示している。
【図１Ｂ】従来の太陽電池ストリングの構成例１を示しており、製造工程の１つの場面を示している。
【図２】太陽電池ストリングをラミネート封止する工程を示す説明図である。
【図３】出力リード部の周辺部を一部拡大して示す斜視図である。
【図４】本実施の形態に係る太陽電池モジュールの構成例２に適用される出力リード部の周辺部を一部拡大して示す斜視図である。
【図５】バックフィルムの開口部端面と出力リード部との間の絶縁耐圧構造を示す平面図である。
【図６】図５のＡ−Ａ線断面図である。
【図７Ａ】ラミネート工程実施後のバックフィルムの開口部の出力リード部の屈曲状態を示す拡大断面図である。
【図７Ｂ】ラミネート工程実施後のバックフィルムの開口部の出力リード部の屈曲状態を示す拡大断面図である。
【図８Ａ】絶縁シートの配置工程を示す断面図である。
【図８Ｂ】ラミネート工程を示す断面図である。
【図８Ｃ】ラミネート工程を示す断面図である。
【図８Ｄ】ラミネート工程を示す断面図である。
【図９】具体例１の絶縁シートの形状及び配置構成を示す開口部周辺の平面図である。
【図１０】図９のＢ−Ｂ線断面図である。
【図１１Ａ】具体例２の絶縁シートの形状及び配置構成を示す開口部周辺の平面図である。
【図１１Ｂ】具体例２の絶縁シートの形状及び配置構成を示す開口部周辺の断面図（端面図）である。
【図１２Ａ】具体例３の絶縁シートの形状及び配置構成を示す開口部周辺の平面図である。
【図１２Ｂ】具体例３の絶縁シートの形状及び配置構成を示す開口部周辺の断面図（端面図）である。
【図１３Ａ】具体例４の絶縁シートの形状及び配置構成を示す開口部周辺の平面図である。
【図１３Ｂ】具体例４の絶縁シートの形状及び配置構成を示す開口部周辺の断面図（端面図）である。
【図１４Ａ】具体例５の絶縁シートの形状及び配置構成を示す開口部周辺の平面図である。
【図１４Ｂ】具体例５の絶縁シートの形状及び配置構成を示す開口部周辺の断面図（端面図）である。
【図１５Ａ】具体例６の絶縁シートの形状及び配置構成を示す開口部周辺の平面図である。
【図１５Ｂ】具体例６の絶縁シートの形状及び配置構成を示す開口部周辺の断面図（端面図）である。
【図１６Ａ】具体例７の絶縁シートの形状及び配置構成を示す開口部周辺の平面図である。
【図１６Ｂ】具体例７の絶縁シートの形状及び配置構成を示す開口部周辺の断面図（端面図）である。
【図１７Ａ】具体例８の絶縁シートの形状及び配置構成を示す開口部周辺の平面図である。
【図１７Ｂ】具体例８の絶縁シートの形状及び配置構成を示す開口部周辺の断面図（端面図）である。
【図１８Ａ】具体例９の絶縁シートの形状及び配置構成を示す開口部周辺の平面図である。
【図１８Ｂ】具体例９の絶縁シートの形状及び配置構成を示す開口部周辺の断面図（端面図）である。
【図１９Ａ】具体例１０の絶縁シートの形状及び配置構成を示す開口部周辺の平面図である。
【図１９Ｂ】具体例１０の絶縁シートの形状及び配置構成を示す開口部周辺の断面図（端面図）である。
【図２０Ａ】具体例１１の絶縁シートの形状及び配置構成を示す開口部周辺の平面図である。
【図２０Ｂ】具体例１１の絶縁シートの形状及び配置構成を示す開口部周辺の断面図（端面図）である。
【図２１Ａ】具体例１２の絶縁シートの形状及び配置構成を示す開口部周辺の平面図である。
【図２１Ｂ】具体例１２の絶縁シートの形状及び配置構成を示す開口部周辺の断面図（端面図）である。
【図２２Ａ】具体例１３の絶縁シートの形状及び配置構成を示す開口部周辺の平面図である。
【図２２Ｂ】具体例１３の絶縁シートの形状及び配置構成を示す開口部周辺の断面図（端面図）である。
【図２３Ａ】具体例１４の絶縁シートの形状及び配置構成を示す開口部周辺の平面図である。
【図２３Ｂ】具体例１４の絶縁シートの形状及び配置構成を示す開口部周辺の断面図（端面図）である。
【図２４Ａ】具体例１５の絶縁シートの形状及び配置構成を示す開口部周辺の平面図である。
【図２４Ｂ】具体例１５の絶縁シートの形状及び配置構成を示す開口部周辺の断面図（端面図）である。
【図２５Ａ】具体例１６の絶縁シートの形状及び配置構成を示す開口部周辺の平面図である。
【図２５Ｂ】具体例１６の絶縁シートの形状及び配置構成を示す開口部周辺の断面図（端面図）である。
【図２６Ａ】具体例１７の絶縁シートの形状及び配置構成を示す開口部周辺の平面図である。
【図２６Ｂ】具体例１７の絶縁シートの形状及び配置構成を示す開口部周辺の断面図（端面図）である。
【図２７Ａ】従来の太陽電池ストリングの一構成例を示しており、製造工程の１つの場面を示している。
【図２７Ｂ】従来の太陽電池ストリングの一構成例を示しており、製造工程の１つの場面を示している。
【図２８】従来の太陽電池ストリングをラミネート封止する工程を示す説明図である。
【発明を実施するための形態】
【００３５】
以下、本発明の実施の形態について、図面を参照して説明する。なお、以下の実施の形態は、本発明を実施するために技術的に好ましい種々の限定が付されているが、本発明の範囲が以下の実施の形態及び図面に限定されるものではない。
【００３６】
＜太陽電池モジュールの基本構成例１の説明＞
図１Ａ，図１Ｂ、及び図２は、本実施の形態に係る太陽電池モジュールの基本構成例１を示している。ただし、図１Ａ，図１Ｂは製造工程の２つの場面を示す説明図、図２は太陽電池ストリングをラミネート封止する工程を示す説明図である。
【００３７】
太陽電池セル５５は、透光性絶縁基板５１上に、図示は省略しているが透明導電膜からなる透明電極膜、光電変換層、裏面電極膜がこの順に積層されて形成されている。透光性絶縁基板としてはガラスやポリイミドなどの耐熱性樹脂がある。透明電極膜としてはＳｎＯ2、ＺｎＯ、ＩＴＯなどがある。光電変換層としてはアモルファスシリコンや微結晶シリコンなどのシリコン系光電変換膜や、ＣｄＴｅ，ＣｕＩｎＳｅ2などの化合物系光電変換膜がある。
【００３８】
このように構成された太陽電池セル５５は、図１Ａに示すように細長い短冊状で、透光性絶縁基板５１のほぼ全幅にわたる長さを有しており、隣接する太陽電池セル５５，５５同士において一方の透明電極膜と他方の裏面電極膜とが互いに接続されることで複数の太陽電池セル５５が直列に接続された太陽電池ストリング５６が構成されている。
【００３９】
そして、この太陽電池ストリング５６における一端部の太陽電池セル５５の透明電極膜の端部上に、太陽電池セル５５とほぼ同一長さの線状のＰ型電極端子部５７が形成され、他端部の太陽電池セル５５の裏面電極膜の端部上に、太陽電池セル５５とほぼ同一長さの線状のＮ型電極端子部５８が形成されている。これらＰ型電極端子部５７及びＮ型電極端子部５８が電極取り出し部になる。このように太陽電池セル５５の長さと電極端子部５７，５８の長さを全て同一長とすることにより、太陽電池ストリング５６の複数の太陽電池セル５５を直列に流れてきた電流が局部的に集中することがなく、その電流を均一に取り出すことができるのでシリーズ抵抗ロスの発生を抑制することができる。
【００４０】
そして、Ｐ型電極端子部５７とほぼ同形・同大の銅箔からなるバスバーと呼ばれる正極集電部６０ａが、Ｐ型電極端子部５７の全面に対して電気的かつ機械的に接合され、Ｎ型電極端子部５８とほぼ同形・同大の負極集電部６０ｂが、Ｎ型電極端子部５８の全面に対して電気的かつ機械的に接合されている。これらの接合手段としては、半田付けまたは導電性ペーストなどを用いることができる。
【００４１】
上記構成において、太陽電池ストリング５６上には、接着用に配置されたＥＶＡシート５９を介して、絶縁膜（以下、「絶縁フィルム」という。）６１で被覆されたフラットケーブルからなる正極リード線６２と負極リード線６３とが、互いの先端部を対向させた状態で一直線状に（若しくは幅方向にずらせた平行状態に）配置されている。ただし、接着用のＥＶＡシート５９は必ずしも必要なものではない。
【００４２】
そして、正極リード線（以下、単にリード線とも言う。）６２の一端部が、正極集電部６０ａの中央位置に接続され、他端部は、太陽電池ストリング５６のほぼ中央部に位置し、かつ太陽電池ストリング５６の面に対して所定角度（図１Ａ，図１Ｂ及び図２では、垂直方向）に折り曲げられて出力リード部６２ａとなっている。同様に、負極リード線（以下、単にリード線とも言う。）６３の一端部が、負極集電部６０ｂの中央位置に接続され、他端部は、太陽電池ストリング５６のほぼ中央部に位置し、かつ太陽電池ストリング５６の面に対して所定角度（図１Ａ，図１Ｂ及び図２では、垂直方向）に折り曲げられて出力リード部６３ａとなっている。なお、出力リード部６２ａ，６３ａの折り曲げ角度（所定角度）は、図示しない端子ボックスの形状と関連するため、必ずしも垂直方向に限定されるものではないが、図１Ａ，図１Ｂ及び図２では垂直に折り曲げるものとして以下説明する。
【００４３】
図３は、出力リード部６２ａ，６３ａの周辺部を一部拡大して示す斜視図である。
【００４４】
本実施の形態では、出力リード部６２ａ，６３ａは、折り曲げ部６６を含む先端部側のリード線が絶縁フィルム６１による片面被覆の状態となっている。より具体的には、この部分の絶縁フィルム６１は、各リード線６２，６３の太陽電池ストリング５６の裏面電極膜側に設けられている。すなわち、各出力リード部６２ａ，６３ａを垂直に立ち上げるためにその根元部分を折り曲げるとき、この部分には各リード線６２，６３の片面のみにしか絶縁フィルム６１が設けられていないので、絶縁フィルム６１によるコシや跳ね返りが弱いため、容易に垂直に折り曲げることができる。
【００４５】
正極リード線６２及び負極リード線６３は、正極集電部６０ａ及び負極集電部６０ｂと同一材料（すなわち、銅箔）で作られており、各リード線と集電部との接合手段としては半田付けまたはスポット溶接などを用いることができる。正極リード線６２及び負極リード線６３は、複数の太陽電池セル５５上にまたがっているが、各リード線６２，６３は絶縁フィルム６１でその全体が被覆されているので、これら複数の太陽電池セル５５をショートすることはない。
【００４６】
この状態において、図２に示すように、正極リード線６２及び負極リード線６３の各出力リード部６２ａ，６３ａを開口部６４ａ，６４ａ及び開口部６５ａ，６５ａにそれぞれ挿通する状態で、封止絶縁フィルム６４と耐候性・高絶縁性のための裏面保護シートとしてのバックフィルム６５とが、太陽電池ストリング５６の全面にラミネート封止されている（ラミネート封止については後述する）。封止絶縁フィルム６４としては、ＥＶＡ（エチレンビニルアセテート樹脂）、ＰＶＢ（ポリビニルブチラール樹脂）、アイオノマー（ｉｏｎｏｍｅｒ：ＩＯ）、シリコーン、オレフィン樹脂など、バックフィルム６５や絶縁フィルム６１、太陽電池セル５５との接着性が良く長期耐候性に優れたものであればよいが、なかでもＥＶＡ（エチレンビニルアセテート樹脂）製のものが太陽電池用としての実績があり最適である。特に封止絶縁フィルム６４と絶縁フィルム６１とを互いに接着性のよいものを選べば、太陽電池ストリングの防水性を向上することができる。また、バックフィルム６５としては、ＰＥＴ／Ａｌ／ＰＥＴ（ＰＥＴ：ポリエチレンテレフタレート）などの防湿層を含む３層構造のものが好ましい。厚みの一例を挙げると、絶縁フィルム６１：５０μｍ、封止絶縁フィルム１２４：６００μｍに対して、バックフィルム６５を１００μｍとする。
【００４７】
このように構成された太陽電池ストリング５６において、バックフィルム６５のそれぞれの開口部６５ａ，６５ａから上方に向けて突出している正極リード線６２及び負極リード線６３の各出力リード部６２ａ，６３ａに、図示しない端子ボックスを取り付けて電気的に接続している。
【００４８】
なお、太陽電池ストリング５６の電極配置構造はあくまで一例であり、このような配置構造に限定されるものではない。例えば、正極リード線６２及び負極リード線６３の配置位置は、太陽電池ストリング５６の中央部ではなく、一方の端部側に寄っていてもよく、また、中央部まで引き出す必要もない。すなわち、正極集電部６０ａ及び負極集電部６０ｂの近傍から各出力リード部６２ａ，６３ａが上方に突出するように配置されていてもよい。
【００４９】
＜太陽電池モジュールの基本構成例２の説明＞
上記基本構成例１に示す太陽電池ストリングでは、各リード線６２，６３は、各集電部６０ａ，６０ｂから折り曲げ部６６の手前までが絶縁フィルム６１による全面被覆となっており、折り曲げ部６６を含む先端部側の出力リード部６２ａ，６３ａが絶縁フィルム６１による片面被覆となっているが、本基本構成例２では、図４に示すように、各集電部６０ａ，６０ｂから出力リード部６２ａ，６３ａの折り曲げ部６６を含む先端部側までの全てが絶縁フィルム６１による片面被覆となっている。より具体的には、この絶縁フィルム６１は、各リード線６２，６３の太陽電池ストリング５６の裏面電極膜側に設けられている。すなわち、出力リード部６２ａ，６３ａを垂直に立ち上げるためにその根元部分を折り曲げるとき、この部分には各リード線６２，６３の片面のみにしか絶縁フィルム６１が設けられていないので、絶縁フィルム６１によるコシや跳ね返りが弱いため、容易に垂直に折り曲げることができる。また、このように各リード線６２，６３のほぼ全長に渡って絶縁フィルム６１を片面のみに設けることにより、絶縁フィルムの使用量を必要最小限に抑えることができ、部品コストの低減につなげることができる。
【００５０】
＜太陽電池モジュールの絶縁耐圧構造の説明＞
図５は、バックフィルムの開口部端面と出力リード部との間の絶縁耐圧構造を示す平面図、図６は、図５のＡ−Ａ線断面図、図７Ａ及び図７Ｂは、ラミネート工程実施後のバックフィルムの開口部の出力リード部の屈曲状態を示す拡大断面図である。
【００５１】
本実施の形態では、上記構成の太陽電池モジュールにおいて、バックフィルム６５の開口部６５ａの縁部上に、先端側を開口部６５ａ内を通過する出力リード部６２ａ，６３ａに向かって一定長さだけ開口部内にはみ出させるように絶縁シート１０を配置することによって、バックフィルム６５の開口部６５ａ端面に露出したＡｌ層の端面と出力リード部６２ａ，６３ａとの間の距離を確保（すなわち、絶縁耐圧を確保）し、さらに、バックフィルム６５の開口部６５ａの縁部全周を覆うように別の絶縁シート１１（１１ｚ）を配置することによって、バックフィルム６５の開口部６５ａ端面に露出したＡｌ層の端面と太陽電池セル５５の裏面電極膜との間の絶縁耐圧を確保する構成としたものである。ここで、絶縁シート１０，１１の材料とてしは、ポリイミド樹脂、ＰＥＴ（ポリエチレンテレフタレート樹脂）、ＰＰＳ（ポリフェニレンサルファイド樹脂）、フッ素樹脂などが最適である。
【００５２】
まず、開口部６５ａの縁部上に配置される絶縁シート１０について説明する。
【００５３】
絶縁シート１０は略長方形状に形成されており、後述するラミネート工程のときに出力リード部６２ａ，６３ａを折り曲げる方向（図５では右方向）にあたるバックフィルム６５の開口部６５ａの縁部６５ａ１上に全長に渡って配置されている。また、この絶縁シート１０は、下面に粘着剤が塗布された粘着シートとなっており、バックフィルム６５の開口部６５ａの縁部６５ａ１上に位置がずれないように固定若しくは仮固定されている。
【００５４】
ただし、絶縁シート１０の幅Ｗ１は、少なくとも出力リード部６２ａ，６３ａの幅Ｗ２より十分幅広に形成されていればよく、必ずしもバックフィルム６５の開口部６５ａの縁部６５ａ１の全長に渡って配置（図５に示す状態）されている必要はない。このように配置された絶縁シート１０の先端部１０ａは、開口部６５ａ内を通過する出力リード部６２ａ，６３ａに向かって一定長さＴ１だけ開口部６５ａ内にはみ出すように設けられている。この一定長さＴ１は、出力リード部６２ａ，６３ａと裏面保護シート６５の開口部６５ａ端面との間の絶縁耐圧試験（ＩＥＣ６１６４６またはＩＥＣ６１７３０の試験）による放電を防止できる長さに設定されている。具体的には、この長さＴ１は、５ｍｍ以上に設定されるが、実際には余裕を持たせて８ｍｍから１０ｍｍ程度に設定している。
【００５５】
一方、出力リード部６２ａ，６３ａは、図７Ａ，図７Ｂに示すように、バックフィルム６５の開口部６５ａ内で絶縁シート１０に向かって横方向に屈曲（図中、符号ａ１により示す）され、絶縁シート１０の先端部１０ａの位置で縦方向に屈曲（図中、符号ａ２により示す）された２段屈曲構造となっている。すなわち、出力リード部６２ａ，６３ａは、バックフィルム６５より上の部分で縦方向に屈曲されている。
【００５６】
次に、上記構成の太陽電池モジュールの製造方法について説明する。ただし、ラミネート工程の手前までの製造工程、すなわち、太陽電池セル５５の裏面電極膜上に、片面被覆の正極リード線６２及び負極リード線６３をそれぞれ配置し、正極リード線６２及び負極リード線６３の各出力リード部６２ａ，６３ａを、開口部６４ａ，６４ａ及び開口部６５ａ，６５ａにそれぞれ挿通した状態で、封止絶縁フィルム６４とバックフィルム６５とを配置するところまでの工程は、図１Ａ，図１Ｂ、及び図２を用いて説明した通りであるので説明を省略し、その次の工程からラミネート工程までを図８Ａ〜図８Ｄを参照して説明する。図８Ａ〜図８Ｄは、絶縁シートの配置工程とラミネート工程とを示す断面図である。
【００５７】
すなわち、次の工程では、図８Ａに示すように、バックフィルム６５の開口部６５ａの一つの縁部６５ａ１上に、先端部１０ａを出力リード部６２ａ，６３ａに向かって一定長さＴ１だけはみ出した状態で、絶縁シート１０を配置する。すなわち、絶縁シート１０下面の粘着剤によって、バックフィルム６５の開口部６５ａの縁部６５ａ１上に位置がずれないように固定若しくは仮固定して、次のラミネート工程に移行する。ただし、このような絶縁シート１０の配置は、バックフィルム６５単品のときに予め開口部６５ａの一つの縁部６５ａ１に絶縁シート１０を配置（固定または仮固定）し、この配置状態で、開口部６５ａを出力リード部６２ａ，６３ａに通してバックフィルム６５を基板５１上に配置するといった手順であってもよい。
【００５８】
次のラミネート工程では、図８Ｂに示すように、太陽電池セル５５の裏面電極膜上に、各リード線６２，６３と、封止絶縁フィルム６４及びバックフィルム６５とが配置された状態で、バックフィルム６５の開口部６５ａから導出した各出力リード部６２ａ，６３ａを、開口部６５ａの縁部６５ａ１上に配置されている絶縁シート１０上に重なるように横方向に折り曲げる工程（屈曲部ａ１）を実施する。そして、このように各出力リード部６２ａ，６３ａを折り曲げた状態で、加熱及び加圧によってラミネート封止する工程を実施する（図８Ｃ参照）。これにより、封止材６４１が、バックフィルム６５の開口部６５ａに充填された状態となる。そして、このようにラミネート封止後に、各出力リード部６２ａ，６３ａを絶縁シート１０の先端部１０ａの位置で縦方向に折り曲げる工程（屈曲部ａ２）を実施する（図８Ｄ参照）。このような工程を経ることで、出力リード部６２ａ，６３ａは、横方向に屈曲した屈曲部ａ１と、縦方向に屈曲した屈曲部ａ２の２段屈曲構造となる。
【００５９】
このような太陽電池モジュールの製造方法によれば、バックフィルム６５の開口部６５ａから導出した各出力リード部６２ａ，６３ａを、開口部６５ａの縁部６５ａ１上に配置した絶縁シート１０上に折り曲げてラミネート封止工程を実施し、その後各出力リード部６２ａ，６３ａを立ち上げる（縦方向に折り曲げる）とき、各出力リード部６２ａ，６３ａと開口部６５ａに充填された封止材６４１との間に絶縁シート１０が介在しているので、各出力リード部６２ａ，６３ａが封止材６４１に接着せず、各出力リード部６２ａ，６３ａを容易に立ち上げることができる。すなわち、各出力リード部６２ａ，６３ａを、絶縁シート１０の先端部１０ａの位置で縦方向に容易に折り曲げることができる。ここで、絶縁シート１０の先端部１０ａは、各出力リード部６２ａ，６３ａに向かって開口部６５ａの縁部６５ａ１から一定長さＴ１だけはみ出すように設けられており、この一定長さＴ１は、出力リード部６２ａ，６３ａとバックフィルム６５の開口部６５ａ端面との間の絶縁耐圧試験による放電を防止できる長さに設定されているので、リード線の縦方向への折り曲げ部分（屈曲部）ａ２と開口部６５ａ端面との間の距離を、絶縁耐圧試験による放電を防止できる距離に保つことができる。
【００６０】
すなわち、開口部６５ａの縁部６５ａ１上に配置される絶縁シート１０は、（１）出力リード部６２ａ，６３ａを立ち上げるときの当該出力リード部６２ａ，６３ａの封止材６４１からの剥離を容易とする。（２）出力リード部６２ａ，６３ａを絶縁シート１０の先端部１０ａの位置で確実に立ち上げることを可能とする。といった２つの役目を担っている。
【００６１】
上記したように、バックフィルム６５が、ＰＥＴ／Ａｌ／ＰＥＴの３層構造やＰＶＦ／Ａｌ／ＰＶＦの３層構造などの防湿層を含むものである場合、開口部６５ａ端面には、Ａｌ層の端面が露出することになる。そのため、このＡｌ層の端面と出力リード部６２ａ，６３ａとの間で放電が起こる可能性があるが、本発明では、絶縁シート１０の先端部１０ａを、出力リード部６２ａ，６３ａに向かって開口部の縁部から、絶縁耐圧試験による放電を防止できる一定長さだけはみ出して設けているので、バックフィルム６５のＡｌ層の端面と出力リード部６２ａ，６３ａとの間での放電（具体的には、絶縁耐圧試験による放電）を防止することができる。
【００６２】
従って、本発明の太陽電池モジュールによれば、高電圧化の太陽電池モジュールに対応した高い電圧での絶縁耐圧試験を行っても、バックフィルム６５のＡｌ層の端面と出力リード部６２ａ，６３ａとの間で放電することなく、十分な絶縁耐圧を確保することができるものである。
【００６３】
また、各リード線６２，６３の出力リード部６２ａ，６３ａは、図７Ａ，図７Ｂに示すように、バックフィルム６５の開口部６５ａ内で絶縁シート１０に向かって横方向に屈曲（屈曲部ａ１）され、絶縁シート１０の先端部１０ａの位置で縦方向に屈曲（屈曲部ａ２）された２段屈曲構造（段差構造）となっており、かつ、出力リード部６２ａ，６３ａは、バックフィルム６５より上の部分で横方向と縦方向とに屈曲された構造となっている。各リード線６２，６３をこのような屈曲構造とすることにより、バックフィルム６５上に配置された図示しない端子ボックスの出力線に出力リード部６２ａ，６３ａの先端部を接続するとき、出力リード部６２ａ，６３ａに張力が加わった場合でも、この張力に対抗する応力による変形をこの屈曲構造の段差部で吸収することができる（すなわち、段差部が縦方向に延びることによって吸収することができる）ため、バックフィルム６５を含む太陽電池セル５５の剥離等を防止することができる、といった効果を奏するものである。
【００６４】
次に、バックフィルム６５の開口部６５ａの縁部全周を覆うように配置される別の絶縁シート１１について説明する。
【００６５】
この絶縁シート１１は、本実施の形態では図５ないし図７に示すように、バックフィルム６５の開口部６５ａ全体を覆う大きさの１枚シートとして形成されており、各開口部６５ａ，６５ａの下部であって、各リード線６２，６３と太陽電池セル５５との間にそれぞれ配置されている。また、この絶縁シート１１は、下面に粘着剤が塗布された粘着シートとなっており、太陽電池セル５５上（より具体的には、接着用に配置されたＥＶＡシート５９上）に位置がずれないように固定若しくは仮固定されている。
【００６６】
上記したように、バックフィルム６５が、ＰＥＴ／Ａｌ／ＰＥＴの３層構造やＰＶＦ／Ａｌ／ＰＶＦの３層構造などの防湿層を含むものである場合、開口部６５ａ端面には、Ａｌ層の端面が露出することになる。そのため、このＡｌ層の端面と太陽電池セル５５の裏面電極膜との間で放電が起こる可能性があるが、本発明では、絶縁シート１１を配置することで、バックフィルム６５のＡｌ層の端面と太陽電池セル５５の裏面電極膜との間での放電（具体的には、絶縁耐圧試験による放電）を防止することができる。
【００６７】
従って、本発明の太陽電池モジュールによれば、高電圧化の太陽電池モジュールに対応した高い電圧での絶縁耐圧試験を行っても、バックフィルム６５のＡｌ層の端面と太陽電池セル５５の裏面電極膜との間で放電することなく、十分な絶縁耐圧を確保することができるものである。
【００６８】
＜絶縁シート１１の形状及び配置構造の具体例の説明＞
上記で説明したように、本実施の形態では、太陽電池セル５５の裏面電極膜とバックフィルム６５との間に、バックフィルム６５の開口部６５ａの縁部全周を覆うように絶縁シート１１を配置することによって、バックフィルム６５の開口部６５ａ端面に露出したＡｌ層の端面と裏面電極膜との間の絶縁耐圧を確保する構成としている。すなわち、本実施の形態の太陽電池モジュールの製造方法は、透光性絶縁基板５１上に、透明電極膜、光電変換層、裏面電極膜からなる太陽電池セル５５を積層し、この太陽電池セル５５の裏面電極膜上に、絶縁状態のリード線６２，６３と、このリード線６２，６３の出力リード部６２ａ，６３ａを導出するための開口部６５ａを有するバックフィルム６５とを順次積層する工程において、前記裏面電極膜とバックフィルム６５との間に、バックフィルム６５の開口部６５ａの縁部全周を覆うように絶縁シート１１を配置する工程を含むものである。
【００６９】
絶縁シート１１は、少なくともバックフィルム６５の開口部６５ａの縁部全周に沿って配置されていればよい。本実施の形態では、開口部６５ａが矩形状であるので、絶縁シート１１を例えば細長いテープ状（短冊状）に形成した場合には、矩形状の開口部６５ａの各縁片に沿って、テープ状の絶縁シート１１を「口」形に４枚配置すればよい。以下、絶縁シート１１の形状及び配置構成の具体例について説明する。
【００７０】
［具体例１］
図９は、本具体例１の絶縁シート１１の形状及び配置構成を示す開口部周辺の平面図、図１０は、図９のＢ−Ｂ線に沿う断面図（正確には端面図）である。ただし、図９では、バックフィルム６５の開口部６５ａの縁部６５ａ１上に配置されている絶縁シート１０については図示を省略している。また、開口部６５ａは各リード線６２，６３の出力リード部６２ａ，６３ａに対応して２個形成されているが、絶縁シートの形状及び配置構成は各開口部６５ａで同じであるので、ここでは一方の開口部（図１０中右側の開口部６５ａ）について説明する。
【００７１】
本具体例１では、絶縁シートは、リード線６３が横切る開口部６５ａの一辺の縁部６５ａ１に沿って配置された短冊状の１枚の絶縁シート１１ａと、リード線６３が横切らない他の三辺の縁部６５ａ２〜６５ａ４に沿って「コ」字型に配置された他の１枚の絶縁シート１１ｂとからなっている。
【００７２】
そして、短冊状の絶縁シート１１ａは、リード線６３と封止絶縁フィルム（例えば、ＥＶＡシート）６４との間に配置され、「コ」字型の絶縁シート１１ｂは、封止絶縁フィルム６４とバックフィルム６５との間に配置されている。すなわち、短冊状の絶縁シート１１ａは封止絶縁フィルム６４の下側に配置され、「コ」字型の絶縁シート１１ｂは封止絶縁フィルム６４の上側に配置されている。
【００７３】
また、短冊状の絶縁シート１１ａは、下面に粘着剤が塗布された粘着シートとなっており、バックフィルム６５の開口部６５ａの縁部６５ａ１に沿って、太陽電池セル５５の裏面電極膜上に配置する際、リード線６３をＥＶＡシート５９上に固定若しくは仮固定するようになっている。すなわち、絶縁シート１１ａは、開口部６５ａの縁部６５ａ１の絶縁と、リード線６３の固定とを兼ねるようになっている。これにより、その後のラミネート加工のときに、絶縁シート１１ａが開口部６５ａの縁部６５ａ１からずれないようにしているとともに、リード線６３の配置位置がずれないように固定若しくは仮固定する役目も果たしている。つまり、リード線６３をバックフィルム６５の開口部６５ａ端面に接触しない位置に確実に配置固定することが可能となる。
【００７４】
一方、コの字状の絶縁シート１１ｂは、バックフィルム６５の開口部６５ａの他の三辺の縁部６５ａ２〜６５ａ４に沿って配置され、当該縁部６５ａ２〜６５ａ４の下面に接着剤によって固定若しくは仮固定されている。これにより、その後のラミネート加工のときに、絶縁シート１１ｂが開口部６５ａの三辺の縁部６５ａ２〜６５ａ４からずれないようにしている。
【００７５】
従って、このような状態で全体をラミネート加工することにより、太陽電池セル５５の裏面電極膜とバックフィルム６５との間に、バックフィルム６５の開口部６５ａの縁部全周を完全に覆うようにして、絶縁シート１１ａ，１１ｂが確実に配置されることになる。
【００７６】
［具体例２］
図１１Ａ，図１１Ｂは、本具体例２の絶縁シートの形状及び配置構成を示す開口部周辺の平面図及び断面図（正確には端面図）である。ただし、図１１Ａでは、バックフィルム６５の開口部６５ａの縁部６５ａ１上に配置されている絶縁シート１０については図示を省略している。また、図１１Ａ，図１１Ｂは、図４に示す構成例２の太陽電池モジュール（すなわち、リード線６２，６３が片面被覆の太陽電池モジュール）に適用した場合を示している。また、図１１Ａ，図１１Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【００７７】
本具体例２と上記具体例１との違いは、上記具体例１がＥＶＡシート５９を太陽電池セル５５の裏面電極膜上の全体に配置しているのに対し、本具体例２では、ＥＶＡシート５９がバックフィルム６５の開口部６５ａの手前までしか配置されていない点だけであり、その他の構成は上記具体例１の場合と同様である。従って、この場合には、短冊状の絶縁シート１１ａは、バックフィルム６５の開口部６５ａの縁部６５ａ１に沿って、太陽電池セル５５の裏面電極膜上に配置する際、リード線６３を裏面電極膜上に直接固定若しくは仮固定することになる。
【００７８】
［具体例３］
図１２Ａ，図１２Ｂは、本具体例３の絶縁シートの形状及び配置構成を示す開口部周辺の平面図及び断面図（正確には端面図）である。ただし、図１２Ａでは、バックフィルム６５の開口部６５ａの縁部６５ａ１上に配置されている絶縁シート１０については図示を省略している。また、図１２Ａ，図１２Ｂは、図４に示す構成例２の太陽電池モジュール（すなわち、リード線６２，６３が片面被覆の太陽電池モジュール）に適用した場合を示している。また、図１２Ａ，図１２Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【００７９】
本具体例３と上記具体例１との違いは、上記具体例１では封止絶縁フィルム６４がバックフィルム６５と同じ大きさに形成されているのに対し、本具体例３では、この封止絶縁フィルム６４の代わりに、バックフィルム６５の開口部６５ａの幅より若干広い幅のリード線接着シート小片６４１をリード線６３に沿って配置した点であり、その他の構成は上記具体例１の場合とほぼ同様である。従って、この場合には、短冊状の絶縁シート１１ａとリード線接着シート小片６４１とによってリード線６３をＥＶＡシート５９上に固定若しくは仮固定することになる。なお、本具体例３では、リード線６３はリード線接着シート小片６４１によってＥＶＡシート５９上に固定若しくは仮固定できるので、絶縁シート１１ａを、バックフィルム６５の開口部６５ａの一辺の縁部６５ａ１に沿って配置された状態で、当該開口部６５の一辺の縁部６５ａ１まで配置されているリード線接着シート小片６４１の下面に固定若しくは仮固定するように構成してもよい。
【００８０】
［具体例４］
図１３Ａ，図１３Ｂは、本具体例４の絶縁シートの形状及び配置構成を示す開口部周辺の平面図及び断面図（正確には端面図）である。ただし、図１３Ａでは、バックフィルム６５の開口部６５ａの縁部６５ａ１上に配置されている絶縁シート１０については図示を省略している。また、図１３Ａ，図１３Ｂは、図４に示す構成例２の太陽電池モジュール（すなわち、リード線６２，６３が片面被覆の太陽電池モジュール）に適用した場合を示している。また、図１３Ａ，図１３Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【００８１】
本具体例４と上記具体例１との違いは、上記具体例１がＥＶＡシート５９を太陽電池セル５５の裏面電極膜上の全体に配置しているのに対し、本具体例４では、ＥＶＡシート５９がバックフィルム６５の開口部６５ａの対向する縁部までしか配置されていない点、及び、上記具体例１が封止絶縁フィルム６４の開口部６４ａとバックフィルム６５の開口部６５ａとを同じ大きさの開口部としているのに対し、本具体例４では、封止絶縁フィルム６４の開口部６４ａの方がバックフィルム６５の開口部６５ａより小さい点であり、その他の構成は上記具体例１の場合と同様である。すなわち、封止絶縁フィルム６４がバックフィルム６５の開口部６５ａの内部まで延設されている。従って、この場合には、短冊状の絶縁シート１１ａは、バックフィルム６５の開口部６５ａの縁部６５ａ１に沿って、太陽電池セル５５の裏面電極膜上に配置する際、リード線６３をＥＶＡシート５９上に固定若しくは仮固定することになる。ただし、絶縁シート１１ａは、バックフィルム６５の開口部６５ａの一辺の縁部６５ａ１に沿って配置された状態で、開口部６５内に延設されている封止絶縁フィルム６４の下面に接着剤によって固定若しくは仮固定してもよい。
【００８２】
［具体例５］
図１４Ａ，図１４Ｂは、本具体例５の絶縁シートの形状及び配置構成を示す開口部周辺の平面図及び断面図（正確には端面図）である。ただし、図１４Ａでは、バックフィルム６５の開口部６５ａの縁部６５ａ１上に配置されている絶縁シート１０については図示を省略している。また、図１４Ａ，図１４Ｂは、図４に示す構成例２の太陽電池モジュール（すなわち、リード線６２，６３が片面被覆の太陽電池モジュール）に適用した場合を示している。また、図１４Ａ，図１４Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【００８３】
本具体例５では、絶縁シート１１ｃは、バックフィルム６５の開口部６５ａの縁部全周に沿って縁部を被覆するように、平面視「口」形状に形成された１枚のシートからなっている。そして、このような形状の絶縁シート１１ｃを、封止絶縁フィルム６４と太陽電池セル５５の裏面電極膜との間に配置している。ただし、本実施の形態では、太陽電池セル５５の裏面電極膜とリード線６３との間に接着用のＥＶＡシート５９を配置しているので、より正確には、絶縁シート１１ｃは、封止絶縁フィルム６４とＥＶＡシート５９との間に配置されている。
【００８４】
また、絶縁シート１１ｃは、下面に粘着剤が塗布された粘着シートとなっており、バックフィルム６５の開口部６５ａの縁部６５ａ１〜６５ａ４の全周に沿って、太陽電池セル５５の裏面電極膜上（より正確には、ＥＶＡシート５９上）に配置する際、この絶縁シート１１ｃによってリード線６３を裏面電極膜上（より正確には、ＥＶＡシート５９上）に固定するようになっている。すなわち、絶縁シート１１ｃは、開口部６５ａの全縁部６５ａ１〜６５ａ４の絶縁と、リード線６３の固定とを兼ねるようになっている。これにより、その後のラミネート加工のときに、絶縁シート１１ｃが開口部６５ａの全縁部６５ａ１〜６５ａ４からずれないようにしているとともに、リード線６３の配置位置がずれないように固定若しくは仮固定する役目も果たしている。なお、絶縁シート１１ｃの下面に塗布する粘着剤については、リード線６３が横切る開口部６５ａの一辺の縁部６５ａ１に対向する一辺部分にのみ塗布されていてもよい。
【００８５】
このようにして絶縁シート１１ｃによりリード線６３を接着固定した後、その全体をラミネート加工することにより、太陽電池セル５５の裏面電極膜とバックフィルム６５との間に、バックフィルム６５の開口部６５ａの縁部全周を完全に覆うようにして、絶縁シート１１ｃが配置されることになる。
【００８６】
［具体例６］
図１５Ａ，図１５Ｂは、本具体例６の絶縁シートの形状及び配置構成を示す開口部周辺の断面図（正確には端面図）である。なお、平面図は図１４Ａと同じである。
【００８７】
本具体例６では、絶縁シート１１ｄは、バックフィルム６５の開口部６５ａの縁部全周に沿って該縁部を被覆するように、平面視「口」形状に形成された１枚のシートからなっている。そして、このような形状の絶縁シート１１ｄを、バックフィルム６５と封止絶縁フィルム６４との間に配置している。
【００８８】
また、絶縁シート１１ｄは、上面の外周部に粘着剤が塗布されており、バックフィルム６５の開口部６５ａの縁部６５ａ１〜６５ａ４の全周に沿って配置する際、この絶縁シート１１ｄをバックフィルム６５の開口部６５ａの下面側から位置を合わせて貼着することで、絶縁シート１１ｄをバックフィルム６５下面に固定若しくは仮固定するようになっている。これにより、その後のラミネート加工のときに、絶縁シート１１ｄが開口部６５ａの全周縁部６５ａ１〜６５ａ４からずれないようにしている。
【００８９】
この後、全体をラミネート加工することにより、太陽電池セル５５の裏面電極膜とバックフィルム６５との間に、バックフィルム６５の開口部６５ａの縁部全周を完全に覆うようにして、絶縁シート１１ｄが配置されることになる。
【００９０】
［具体例７］
図１６Ａ，図１６Ｂは、本具体例７の絶縁シートの形状及び配置構成を示す開口部周辺の平面図及び断面図（正確には端面図）である。ただし、図１６Ａでは、バックフィルム６５の開口部６５ａの縁部６５ａ１上に配置されている絶縁シート１０については図示を省略している。また、図１６Ａ，図１６Ｂは、図４に示す構成例２の太陽電池モジュール（すなわち、リード線６２，６３が片面被覆の太陽電池モジュール）に適用した場合を示している。また、図１６Ａ，図１６Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【００９１】
本具体例７では、絶縁シート１１ｅは、バックフィルム６５の開口部６５ａ全体を覆う大きさ（図１６Ａ中、二点鎖線により示す）の１枚シートとして形成されており、太陽電池セル５５の裏面電極膜とリード線６３との間に配置（より正確には、太陽電池セル５５の裏面電極膜上に配置されている接着用のＥＶＡシート５９とリード線６３との間に配置）されている。そして、絶縁シート１１ｅの一方の縁部１１ｅ１（図中、右側の縁部）が、リード線６３の下面側に配置されている絶縁フィルム６１の端部６１１に重ねて配置され、絶縁シート１１ｅの他方の縁部（図中、左側の縁部）１１ｅ２が、封止絶縁フィルム６４の開口部６４ａを介して、バックフィルム６５の開口部６５ａの一つの縁部６５ａ３の下面に接着または貼り付け固定された構成となっている。
【００９２】
このように、絶縁シート１１ｅを太陽電池セル５５の裏面電極膜（より正確には、ＥＶＡシート５９）とリード線６３との間に配置することで、リード線６３の下面側の被覆は絶縁シート１１ｅの縁部１１ｅ１に一部重複する程度まででよく、図４に示すように、その先までリード線６３に絶縁フィルム６１を被覆しておく必要がない。そのため、リード線６３をバックフィルム６５の開口部６５ａから立ち上げるように折り曲げるとき、その折り曲げ部に絶縁フィルム６１が無いことから、ユーザの所望する任意の角度にリード線６３を容易に折り曲げることができる。
【００９３】
［具体例８］
図１７Ａ，図１７Ｂは、本具体例８の絶縁シートの形状及び配置構成を示す開口部周辺の平面図及び断面図（正確には端面図）である。ただし、図１７Ａでは、バックフィルム６５の開口部６５ａの縁部６５ａ１上に配置されている絶縁シート１０については図示を省略している。また、図１７Ａ，図１７Ｂは、図４に示す構成例２の太陽電池モジュール（すなわち、リード線６２，６３が片面被覆の太陽電池モジュール）に適用した場合を示している。また、図１７Ａ，図１７Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【００９４】
本具体例８では、絶縁シート１１ｆは、バックフィルム６５の開口部６５ａ全体を覆う大きさ（図１７Ａ中、二点鎖線により示す）の１枚シートとして形成されており、下面側が絶縁フィルム６１で被覆され上面側が露出した状態のリード線６３と封止絶縁フィルム６４との間に配置されている。
【００９５】
一方、リード線６３は、バックフィルム６５の開口部６５ａの下部に配置された絶縁シート１１ｆの下を通過して絶縁シート１１ｆの端部（図１７Ｂでは左側端部）１１ｆ１まで引き出され、ここでその端部１１ｆ１を挟むように２つ折りに折り返した後、バックフィルム６５の開口部６５ａの略中央部から上方に導出されるように構成されている。このような構成によれば、絶縁フィルム６１によるリード線６３の被覆は、太陽電池セル５５の裏面電極膜との間の片面被覆でよく、リード線６３の折り曲げ部の他方の面の被覆が不要となる。そのため、絶縁シート１１ｆによる絶縁状態を保った状態で、リード線６３の折り曲げ加工が容易となる。
【００９６】
［具体例９］
図１８Ａ，図１８Ｂは、本具体例９の絶縁シートの形状及び配置構成を示す開口部周辺の平面図及び断面図（正確には端面図）である。ただし、図１８Ａでは、バックフィルム６５の開口部６５ａの縁部６５ａ１上に配置されている絶縁シート１０については図示を省略している。また、図１８Ａ，図１８Ｂは、図４に示す構成例２の太陽電池モジュール（すなわち、リード線６２，６３が片面被覆の太陽電池モジュール）に適用した場合を示している。また、図１８Ａ，図１８Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【００９７】
本具体例９の構成は、上記具体例８の構成とほぼ同じであるが、違う所は、リード線６３が折り返された絶縁シート１１ｆの端部１１ｆ１とは反対側の端部１１ｆ２が、封止絶縁フィルム６４の開口部６４ａを介してバックフィルム６５の開口部６５ａ下面に接着剤等により固定若しくは仮固定されている点である。これにより、その後のラミネート加工のときに、絶縁シート１１ｄが開口部６５ａの全周縁部６５ａ１〜６５ａ４からずれることがないので、バックフィルム６５の開口部６５ａ端面に露出しているＡｌ層端面と太陽電池セル５５の裏面電極膜との間を確実に絶縁することができる。
【００９８】
［具体例１０］
図１９Ａ，図１９Ｂは、本具体例１０の絶縁シートの形状及び配置構成を示す開口部周辺の平面図及び断面図（正確には端面図）である。ただし、図１９Ａでは、バックフィルム６５の開口部６５ａの縁部６５ａ１上に配置されている絶縁シート１０については図示を省略している。また、図１９Ａ，図１９Ｂは、図４に示す構成例２の太陽電池モジュール（すなわち、リード線６２，６３が片面被覆の太陽電池モジュール）に適用した場合を示している。また、図１９Ａ，図１９Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【００９９】
本具体例１０では、絶縁シート１１ｇは、バックフィルム６５の開口部６５ａ端面を全周に渡って直接被覆する構成となっている。より具体的に説明すると、絶縁シート１１ｇは、開口部６５ａの縁部下面及び上面と開口部６５ａ端面とを全周に渡って被覆するように、平面視枠体形状に形成されており、縦断面が略コの字状に形成されている。特に、開口部６５ａ端面のＡｌ層端面と太陽電池セル５５の裏面電極膜との間の絶縁耐圧を確保するためには、開口部６５ａの縁部下面まで絶縁シート１１ｇで被覆することが重要である。このように、開口部６５ａ端面を絶縁シート１１ｇで直接被覆することで、開口部６５ａ端面に露出しているＡｌ層端面と太陽電池セル５５の裏面電極膜との間の放電を確実に防止することができる。そのため、高電圧化の太陽電池モジュールに対応した高い電圧での絶縁耐圧試験を行っても、放電することなく十分な絶縁耐圧を得ることができるものである。
【０１００】
［具体例１１］
図２０Ａ，図２０Ｂは、本具体例１１の絶縁シートの形状及び配置構成を示す開口部周辺の平面図（ただし、バックフィルム６５と封止絶縁フィルム６４は図示を省略している。）及び断面図（正確には端面図）である。ただし、図２０Ａでは、バックフィルム６５の開口部６５ａの縁部６５ａ１上に配置されている絶縁シート１０については図示を省略している。また、図２０Ａ，２０Ｂは、図３に示す構成例２の太陽電池モジュール（すなわち、リード線６２，６３が両面被覆の太陽電池モジュール）に適用した場合を示している。また、図２０Ａ，２０Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【０１０１】
本具体例１１では、バックフィルム６５の開口部６５ａを覆う絶縁シートを別途設けるのではなく、リード線６３の下側被覆絶縁フィルム６１ｂを絶縁シートとして利用したものである。すなわち、リード線６３の下側被覆絶縁フィルム６１ｂを、バックフィルム６５の開口部６５ａの幅より若干広い幅に形成し、かつ、当該開口部６５ａの他辺の縁部６５ａ３を超えるまで延設して配置したものである。これにより、下側被覆絶縁フィルム６１ｂの延設部分６１ｂ１によってバックフィルム６５の開口部６５ａの縁部を全周に渡って覆うことができるものである。
【０１０２】
［具体例１２］
図２１Ａ，図２１Ｂは、本具体例１２の絶縁シートの形状及び配置構成を示す開口部周辺の平面図（ただし、バックフィルム６５と封止絶縁フィルム６４は図示を省略している。）及び断面図（正確には端面図）である。ただし、図２１Ａでは、バックフィルム６５の開口部６５ａの縁部６５ａ１上に配置されている絶縁シート１０については図示を省略している。また、図２１Ａ，図２１Ｂは、図３に示す構成例２の太陽電池モジュール（すなわち、リード線６２，６３が両面被覆の太陽電池モジュール）に適用した場合を示している。また、図２１Ａ，図２１Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【０１０３】
本具体例１２と上記具体例１１との違いは、上記具体例１１ではリード線６３の下側被覆絶縁フィルム６１ｂのみをバックフィルム６５の開口部６５ａの幅より若干広い幅に形成していたが、本具体例１２ではさらに、上側被覆絶縁フィルム６１ａもバックフィルム６５の開口部６５ａの幅より若干広い幅に形成し、かつ、当該開口部６５ａの一辺の縁部６５ａ１を超えて開口部６５ａ内に進入するまで延設して設けたものである。これにより、下側被覆絶縁フィルム６１ｂの延設部分６１ｂ１によってバックフィルム６５の開口部６５ａの縁部を全周に渡って覆うことができるとともに、上側被覆絶縁フィルム６１ａの延設部分６１ａ１によってバックフィルム６５の開口部６５ａの一辺の縁部６５ａ１をさらに覆うことができるものである。
【０１０４】
［具体例１３］
図２２Ａ，図２２Ｂは、本具体例１３の絶縁シートの形状及び配置構成を示す開口部周辺の平面図（ただし、バックフィルム６５と封止絶縁フィルム６４は図示を省略している。）及び断面図（正確には端面図）である。ただし、図２２Ａでは、バックフィルム６５の開口部６５ａの縁部６５ａ１上に配置されている絶縁シート１０については図示を省略している。また、図２２Ａ，図２２Ｂは、図４に示す構成例２の太陽電池モジュール（すなわち、リード線６２，６３が太陽電池セル５５の裏面電極に近い側のみ被覆された片面被覆の太陽電池モジュール）に適用した場合を示している。また、図２２Ａ，図２２Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【０１０５】
本具体例１３は、上記具体例１１の変形例である。本具体例１３では、リード線６３が太陽電池セル５５の裏面電極に近い側のみ被覆された片面被覆であるため、このリード線６３とバックフィルム６５との間に、上記具体例１と同様に、短冊状の絶縁シート１１ｈを配置したものである。
【０１０６】
すなわち、リード線６３の下側被覆絶縁フィルム６１ｂを、バックフィルム６５の開口部６５ａの幅より若干広い幅に形成し、かつ、当該開口部６５ａの他辺の縁部６５ａ３を超えるまで延設して配置している。これにより、下側被覆絶縁フィルム６１ｂの延設部分６１ｂ１によって、バックフィルム６５の開口部６５ａの縁部を全周に渡って覆うことができる。一方、短冊状の絶縁シート１１ｈを、リード線６３が横切る開口部６５ａの一辺の縁部６５ａ１に沿って配置している。この絶縁シート１１ｈは、リード線６３と封止絶縁フィルム（例えば、ＥＶＡシート）６４との間に配置され、下面に粘着剤が塗布された粘着シートとなっている。また、この絶縁シート１１ｈは、下側被覆絶縁フィルム６１ｂの幅よりもさら幅広に形成されている。そして、この絶縁シート１１ｈをバックフィルム６５の開口部６５ａの縁部６５ａ１に沿って、太陽電池セル５５の裏面電極膜上に配置する際、リード線６３をＥＶＡシート５９上に固定若しくは仮固定するようになっている。すなわち、絶縁シート１１ｈは、開口部６５ａの縁部６５ａ１の絶縁と、リード線６３の固定とを兼ねるようになっている。これにより、その後のラミネート加工のときに、絶縁シート１１ｈが開口部６５ａの縁部６５ａ１からずれないようにしているとともに、リード線６３の配置位置がずれないように固定若しくは仮固定する役目も果たしている。つまり、リード線６３をバックフィルム６５の開口部６５ａ端面に接触しない位置に確実に配置固定することが可能となる。
【０１０７】
［具体例１４］
図２３Ａ，図２３Ｂは、本具体例１４の絶縁シートの形状及び配置構成を示す開口部周辺の平面図（ただし、バックフィルム６５と封止絶縁フィルム６４は図示を省略している。）及び断面図（正確には端面図）である。ただし、図２３Ａでは、バックフィルム６５の開口部６５ａの縁部６５ａ１上に配置されている絶縁シート１０については図示を省略している。また、図２３Ａ，図２３Ｂは、図４に示す構成例２の太陽電池モジュール（すなわち、リード線６２，６３が太陽電池セル５５の裏面電極に近い側のみ被覆された片面被覆の太陽電池モジュール）に適用した場合を示している。また、図２３Ａ，図２３Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【０１０８】
本具体例１４は、上記具体例１３の変形例であり、短冊状の絶縁シート１１ｉを上記具体例１３の絶縁シート１１ｈより短くしたものである。
【０１０９】
すなわち、リード線６３の下側被覆絶縁フィルム６１ｂを、バックフィルム６５の開口部６５ａの幅より若干広い幅に形成し、かつ、当該開口部６５ａの他辺の縁部６５ａ３を超えるまで延設して配置している。これにより、下側被覆絶縁フィルム６１ｂの延設部分６１ｂ１によって、バックフィルム６５の開口部６５ａの縁部を全周に渡って覆うことができる。一方、短冊状の絶縁シート１１ｉは、リード線６３が横切る開口部６５ａの一辺の縁部６５ａ１に沿って配置している。この絶縁シート１１ｉは、バックフィルム６５と封止絶縁フィルム（例えば、ＥＶＡシート）６４との間に配置されている。また、この絶縁シート１１ｉは、バックフィルム６５の開口部６５ａの幅より若干広い幅に形成され、かつ、下側被覆絶縁フィルム６１ｂの幅より若干狭い幅に形成されている。そして、この絶縁シート１１ｉをバックフィルム６５の開口部６５ａの縁部６５ａ１に沿って、太陽電池セル５５の裏面電極膜上に配置する際、バックフィルム６５の開口部６５ａの一辺の縁部６５ａ１下面に接着剤によって固定若しくは仮固定するようになっている。これにより、その後のラミネート加工のときに、絶縁シート１１ｉが開口部６５ａの縁部６５ａ１からずれないようにしている。
【０１１０】
［具体例１５］
図２４Ａ，図２４Ｂは、本具体例１５の絶縁シートの形状及び配置構成を示す開口部周辺の平面図（ただし、バックフィルム６５と封止絶縁フィルム６４は図示を省略している。）及び断面図（正確には端面図）である。ただし、図２４Ａでは、バックフィルム６５の開口部６５ａの縁部６５ａ１上に配置されている絶縁シート１０については図示を省略している。また、図２４Ａ，図２４Ｂは、リード線６２，６３が全く被覆されていない非絶縁状態のリード線に適用した場合を示している。また、図２４Ａ，図２４Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【０１１１】
本具体例１５では、太陽電池セル５５の裏面電極膜上に、リード線６３の下側を被覆するための絶縁層（絶縁膜）６８を設けたものである。この絶縁層６８は、バックフィルム６５の開口部６５ａの幅より若干広い幅に形成し、かつ、当該開口部６５ａの他辺の縁部６５ａ３を超えるところまで、リード線６３に沿って配置したものである。これにより、絶縁層６８によってバックフィルム６５の開口部６５ａの縁部を全周に渡って覆うことができる。
【０１１２】
また、本具体例１５では、リード線６３が非絶縁状態（全く被覆されていない裸の状態）であるため、短冊状の絶縁シート１１ｊを、リード線６３が横切る開口部６５ａの一辺の縁部６５ａ１に沿って配置している。この絶縁シート１１ｊは、リード線６３と封止絶縁フィルム（例えば、ＥＶＡシート）６４との間に配置され、下面に粘着剤が塗布された粘着シートとなっている。そして、この絶縁シート１１ｊをバックフィルム６５の開口部６５ａの縁部６５ａ１に沿って、太陽電池セル５５の裏面電極膜上に配置する際、リード線６３を絶縁層６８上に固定若しくは仮固定するようになっている。すなわち、絶縁シート１１ｊは、開口部６５ａの縁部６５ａ１の絶縁と、リード線６３の固定とを兼ねるようになっている。これにより、その後のラミネート加工のときに、絶縁シート１１ｊが開口部６５ａの縁部６５ａ１からずれないようにしているとともに、リード線６３の配置位置がずれないように固定若しくは仮固定する役目も果たしている。つまり、リード線６３をバックフィルム６５の開口部６５ａ端面に接触しない位置に確実に配置固定することが可能となる。
【０１１３】
［具体例１６］
図２５Ａ，図２５Ｂは、本具体例１６の絶縁シートの形状及び配置構成を示す開口部周辺の平面図（ただし、バックフィルム６５と封止絶縁フィルム６４は図示を省略している。）及び断面図（正確には端面図）である。また、図２５Ａでは、バックフィルム６５の開口部６５ａの縁部６５ａ１上に配置されている絶縁シート１０については図示を省略している。また、図２５Ａ，図２５Ｂは、リード線６２，６３が全く被覆されていない非絶縁状態のリード線に適用した場合を示している。また、図２５Ａ，図２５Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【０１１４】
本具体例１６は、上記具体例１５の変形例であり、短冊状の絶縁シート１１ｋの幅を上記具体例１５の絶縁シート１１ｊの幅よりさらに短くして、リード線６３の部分のみを被覆するようにしたものである。本具体例１６においても、絶縁シート１１ｋは下面に粘着剤が塗布された粘着シートとなっており、この絶縁シート１１ｋをバックフィルム６５の開口部６５ａの縁部６５ａ１に沿って、太陽電池セル５５の裏面電極膜上に配置する際、リード線６３を絶縁層６８上に固定若しくは仮固定するようになっている。その他の構成は図２１に示す具体例５の場合と同様であるので、ここでは説明を省略する。
【０１１５】
［具体例１７］
図２６Ａ，図２６Ｂは、本具体例１７の絶縁シートの形状及び配置構成を示す開口部周辺の平面図（ただし、バックフィルム６５と封止絶縁フィルム６４は図示を省略している。）及び断面図（正確には端面図）である。また、図２６Ａでは、バックフィルム６５の開口部６５ａの縁部６５ａ１上に配置されている絶縁シート１０については図示を省略している。また、図２６Ａ，図２６Ｂは、リード線６２，６３が全く被覆されていない非絶縁状態のリード線に適用した場合を示している。また、図２６Ａ，図２６Ｂでは、一方の開口部６５ａと一方のリード線６３の出力リード部６３ａが導出される一方の開口部６５ａのみを図示しているが、他方の出力リード部６２ａが導出される他方の開口部６５ａも同じ構造である。
【０１１６】
本具体例１７は、上記具体例１５の変形例であり、短冊状の絶縁シート１１ｍをバックフィルム６５と封止絶縁フィルム６４との間に配置したものである。
【０１１７】
すなわち、絶縁シート１１ｍは、リード線６３が横切る開口部６５ａの一辺の縁部６５ａ１に沿って配置している。この絶縁シート１１ｍは、バックフィルム６５と封止絶縁フィルム（例えば、ＥＶＡシート）６４との間に配置されている。また、この絶縁シート１１ｉは、バックフィルム６５の開口部６５ａの幅より若干広い幅に形成され、かつ、絶縁層６８の幅より若干狭い幅に形成されている。そして、この絶縁シート１１ｍをバックフィルム６５の開口部６５ａの縁部６５ａ１に沿って、太陽電池セル５５の裏面電極膜上に配置する際、バックフィルム６５の開口部６５ａの一辺の縁部６５ａ１下面に接着剤によって固定若しくは仮固定するようになっている。これにより、その後のラミネート加工のときに、絶縁シート１１ｍが開口部６５ａの縁部６５ａ１からずれないようにしている。
【０１１８】
なお、上記各具体例では、バックフィルム６５の一つの開口部６５ａから１つのリード線が導出される場合について説明しているが、両方のリード線６２，６３を一つの開口部６５ａから導出するようにしてもよい。この場合には、例えば具体例２，３，５，７については、そのままの形状の絶縁シートを適用することができる。また、具体例４，６については、バックフィルム６５の開口部６５ａの一つの縁部の下面に接着または貼り付け固定される絶縁シート１１ｅの他方の縁部を、例えば図１６Ａ及び図１８Ａの上側縁部６５ａ２または下側縁部６５ａ４とすることで、そのまま適用することができる。すなわち、バックフィルム６５の開口部６５ａの一つの縁部の下面に接着または貼り付け固定される絶縁シート１１ｅの他方の縁部を、リード線と交差しないいずれかの縁部にすればよい。このことは、上記具体例４，６の場合においても同様に適用することができる。
【符号の説明】
【０１１９】
１０  絶縁シート
１０ａ  先端部
１１，１１ａ〜１１ｍ，１１ｚ  絶縁シート
５１  透光性絶縁基板
５５  太陽電池セル
５６  太陽電池ストリング（薄膜太陽電池ストリング）
５７  Ｐ型電極端子部
５８  Ｎ型電極端子部
５９  ＥＶＡシート
６０ａ  正極集電部
６０ｂ  負極集電部
６０  絶縁膜（絶縁フィルム）
６２  正極リード線
６３  負極リード線
６２ａ，６３ａ  出力リード部
６４  封止絶縁フィルム
６５  バックフィルム（裏面保護シート）
６４ａ，６５ａ  開口部
６５ａ１  縁部
【図１Ａ】
2010283231.tif 000003
【図１Ｂ】
2010283231.tif 000004
【図２】
2010283231.tif 000005
【図３】
2010283231.tif 000006
【図４】
2010283231.tif 000007
【図５】
2010283231.tif 000008
【図６】
2010283231.tif 000009
【図７Ａ】
2010283231.tif 000010
【図７Ｂ】
2010283231.tif 000011
【図８Ａ】
2010283231.tif 000012
【図８Ｂ】
2010283231.tif 000013
【図８Ｃ】
2010283231.tif 000014
【図８Ｄ】
2010283231.tif 000015
【図９】
2010283231.tif 000016
【図１０】
2010283231.tif 000017
【図１１Ａ】
2010283231.tif 000018
【図１１Ｂ】
2010283231.tif 000019
【図１２Ａ】
2010283231.tif 000020
【図１２Ｂ】
2010283231.tif 000021
【図１３Ａ】
2010283231.tif 000022
【図１３Ｂ】
2010283231.tif 000023
【図１４Ａ】
2010283231.tif 000024
【図１４Ｂ】
2010283231.tif 000025
【図１５Ａ】
2010283231.tif 000026
【図１５Ｂ】
2010283231.tif 000027
【図１６Ａ】
2010283231.tif 000028
【図１６Ｂ】
2010283231.tif 000029
【図１７Ａ】
2010283231.tif 000030
【図１７Ｂ】
2010283231.tif 000031
【図１８Ａ】
2010283231.tif 000032
【図１８Ｂ】
2010283231.tif 000033
【図１９Ａ】
2010283231.tif 000034
【図１９Ｂ】
2010283231.tif 000035
【図２０Ａ】
2010283231.tif 000036
【図２０Ｂ】
2010283231.tif 000037
【図２１Ａ】
2010283231.tif 000038
【図２１Ｂ】
2010283231.tif 000039
【図２２Ａ】
2010283231.tif 000040
【図２２Ｂ】
2010283231.tif 000041
【図２３Ａ】
2010283231.tif 000042
【図２３Ｂ】
2010283231.tif 000043
【図２４Ａ】
2010283231.tif 000044
【図２４Ｂ】
2010283231.tif 000045
【図２５Ａ】
2010283231.tif 000046
【図２５Ｂ】
2010283231.tif 000047
【図２６Ａ】
2010283231.tif 000048
【図２６Ｂ】
2010283231.tif 000049
【図２７Ａ】
2010283231.tif 000050
【図２７Ｂ】
2010283231.tif 000051
【図２８】
2010283231.tif 000052